(57)【要約】【課題】一次燃焼炉からの排ガスを処理するために旋回流を使用する二次燃焼炉において、供給空気加温のための燃料使用量を削減し、高効率にて排ガスを処理し、処理能力を増大することのできる排ガスの処理方法を提供する。【解決手段】一次燃焼炉１にて廃棄物を燃焼し、一次燃焼炉１からの排ガスを二次燃焼炉２において旋回流を用いて処理する排ガスの処理方法において、一次及び二次燃焼炉１、２とは異なる第３の燃焼炉３にて廃棄物を燃焼することにより発生した排ガスを、二次燃焼炉２の熱源として二次燃焼炉２に供給し、且つ、二次燃焼炉２にて旋回流となす。【選択図】図１
2006105414.tif 000002
【特許請求の範囲】
【請求項１】
一次燃焼炉にて廃棄物を燃焼し、前記一次燃焼炉からの排ガスを二次燃焼炉において旋回流を用いて処理する排ガスの処理方法において、
前記一次及び二次燃焼炉とは異なる第３の燃焼炉にて廃棄物を燃焼することにより発生した排ガスを、前記二次燃焼炉の熱源として前記二次燃焼炉に供給し、且つ、前記二次燃焼炉にて旋回流となすことを特徴とする排ガスの処理方法。
【請求項２】
前記二次燃焼炉からの排ガスの温度を検知し、前記第３の燃焼炉から前記二次燃焼炉への排ガスの供給量を調整することを特徴とする請求項１の排ガスの処理方法。
【請求項３】
前記二次燃焼炉からの排ガスの温度を検知し、前記二次燃焼炉に設けたバーナーの作動態様を変更させることを特徴とする請求項１又は２の排ガスの処理方法。
【請求項４】
前記第３の燃焼炉からの排ガスは、未燃焼成分を含むことを特徴とする請求項１、２又は３の排ガスの処理方法。
【請求項５】
前記二次燃焼炉からの出口における排ガスの温度は、８５０℃以上であることを特徴とする請求項１〜４のいずれかの項に記載の排ガスの処理方法。
【請求項６】
前記第３の燃焼炉は、パソコン基板、携帯電話を含む貴金属含有スクラップ原料、及び産業廃棄物を処理する定置炉であることを特徴とする請求項１〜５のいずれかの項に記載の排ガスの処理方法。
【発明の詳細な説明】
【技術分野】
【０００１】
本発明は、一般には廃棄物の燃焼処理方法に関するものであり、特に、一次燃焼炉からの排ガスを二次燃焼炉にて旋回流を用いて処理する排ガスの処理方法に関するものである。
【背景技術】
【０００２】
従来、例えば、都市ごみ、産業廃棄物などの廃棄物は、燃焼装置にて燃焼処理される。特許文献１には、燃焼装置にて発生するダイオキシン類などの難分解性有機塩素化合物を低減する燃焼装置の構成が示されている。
【０００３】
つまり、特許文献１の燃焼装置は、バーナーを有する一次燃焼炉と、円筒状の二次燃焼炉と、一次燃焼炉から二次燃焼炉へと排ガスを導入する排ガス導入路と、を備え、排ガス導入路からの排ガスが円筒状二次燃焼炉の円筒面接線方向へと導入されて二次燃焼炉内で旋回流が生じるように構成されている。斯かる構成にて、発生した旋回流により、未燃焼成分と空気とが効果的に混合しながら、全体の流れは鉛直方向に上昇し、完全燃焼が達成される。
【０００４】
また、特許文献１の燃焼装置では、二次燃焼炉へと供給される供給空気もまた二次燃焼炉内で旋回流が生じるよう導入されて二次燃焼炉内で旋回流を発生させ、燃焼効率の促進と、滞留時間の確保が行われるように構成されている。
【０００５】
上記構成の特許文献１の燃焼装置は、一次燃焼炉を６００〜１０００℃、二次燃焼炉を８００〜１２００℃に温度設定し、種々の廃棄物を完全に燃焼し、ダイオキシン類の発生を有効に防止せんとしている。
【０００６】
また、一酸化炭素や炭化水素などの未燃焼成分を完全燃焼させ、ダイオキシン類の発生を防止するために、二次燃焼炉にはバーナーが配置されている。
【特許文献１】特開平７−２２９６１０号公報
【発明の開示】
【発明が解決しようとする課題】
【０００７】
しかしながら、上記構成の燃焼装置では、排ガスが導入される二次燃焼炉には、排ガスを旋回させて充分な滞留時間を確保するために、補助的に必要とされる空気が供給されている。通常、供給空気は外気とされ、その温度が０〜２０℃程度とされる場合には、一次燃焼炉から二次燃焼炉内へと導入される排ガスは、この供給空気により著しく冷却される。
【０００８】
従って、供給空気による二次燃焼炉内の温度低下を防止し、二次燃焼炉を８００〜１２００℃に維持するために、バーナーによる供給空気の加熱が必要とされる。
【０００９】
通常、このようなバーナーの燃料としては、再生油が使用されるが、その燃料使用量は膨大なものとなり、燃料の使用量を削減することが望まれる。
【００１０】
そこで、本発明の目的は、一次燃焼炉からの排ガスを処理するために旋回流を使用する二次燃焼炉において、供給空気加熱のための燃料使用量を削減し、高効率にて排ガスを処理し、処理能力を増大することのできる排ガスの処理方法を提供することである。
【課題を解決するための手段】
【００１１】
上記目的は本発明に係る排ガスの処理方法にて達成される。要約すれば、本発明は、一次燃焼炉にて廃棄物を燃焼し、前記一次燃焼炉からの排ガスを二次燃焼炉において旋回流を用いて処理する排ガスの処理方法において、
前記一次及び二次燃焼炉とは異なる第３の燃焼炉にて廃棄物を燃焼することにより発生した排ガスを、前記二次燃焼炉の熱源として前記二次燃焼炉に供給し、且つ、前記二次燃焼炉にて旋回流となすことを特徴とする排ガスの処理方法である。
【００１２】
本発明の一実施態様によれば、前記二次燃焼炉からの排ガスの温度を検知し、前記第３の燃焼炉から前記二次燃焼炉への排ガスの供給量を調整する。必要に応じて、前記二次燃焼炉からの排ガスの温度を検知し、前記二次燃焼炉に設けたバーナーの作動態様を変更させることもできる。
【００１３】
本発明の他の実施態様によれば、前記第３の燃焼炉からの排ガスは、未燃焼成分を含む。
【００１４】
本発明の他の実施態様によれば、前記二次燃焼炉からの出口における排ガスの温度は、８５０℃以上である。
【００１５】
本発明の他の実施態様によれば、前記第３の燃焼炉は、パソコン基板、携帯電話を含む貴金属含有スクラップ原料、及び産業廃棄物を処理する定置炉である。
【発明の効果】
【００１６】
本発明によれば、二次燃焼炉における供給空気加温のための燃料使用量を削減し、高効率にて排ガスを処理し、処理能力を大幅に増大することができる。
【発明を実施するための最良の形態】
【００１７】
以下、本発明に係る排ガスの処理方法を図面に則して更に詳しく説明する。
【００１８】
実施例１
図１に、本発明の排ガスの処理方法を実施することのできる一実施例に係る廃棄物処理装置の全体構成を示す。
【００１９】
本実施例にて、廃棄物処理装置１００は、廃棄物を燃焼処理する一次燃焼室を構成するロータリーキルンのような一次燃焼炉１と、一次燃焼炉１からの排ガスＧ１を処理する二次燃焼室を構成する二次燃焼炉２と、を有する。
【００２０】
本実施例では、更に、前記一次燃焼炉１及び二次燃焼炉２とは異なる、貴金属スクラップ原料や廃棄物を燃焼処理する追加の燃焼炉（以下、「第３の燃焼炉」という。）３を有する。第３の燃焼炉３にて焼却される貴金属スクラップ原料や廃棄物は、その排ガス中に一酸化炭素や炭化水素などの未燃焼成分を含んでいるのが好ましい。本実施例では、第３の燃焼炉３は、例えば、パソコン基板、携帯電話などを含む貴金属スクラップ原料、及び、産業廃棄物を焼却処理するための定置炉とされる。このような燃焼処理炉は、未燃焼成分を含んだ、最大７００℃程度の排ガスＧ３を発生させる。
【００２１】
本実施例によると、一次燃焼炉１にて発生した排ガスＧ１は、完全燃焼させるためにラインＬ１を介して二次燃焼炉２へと導入される。
【００２２】
従来、二次燃焼炉２には、図示するように、旋回ファン４により、供給空気Ｇ２がラインＬ２を介して旋回流として導入されており、ラインＬ２には、手動弁とされる開閉弁６が配置され、二次燃焼炉２内への供給空気の量を調整していた。また、旋回ファン４は、３０００Ｎｍ3／ｈｒ×２０℃の能力を有するものが使用されていた。
【００２３】
これに対して、本実施例によれば、第３の燃焼炉３からの排ガスＧ３は、ラインＬ３、Ｌ４、Ｌ５、Ｌ６、及び、従来の旋回ファン４と二次燃焼炉２とを接続するラインＬ２を使用して二次燃焼炉２内へと旋回流として供給される。勿論、本実施例では、旋回ファン４は駆動されず、又、開閉弁６は閉とされる。
【００２４】
従って、本実施例によれば、従来必要とされた旋回ファン４からの供給空気Ｇ２を加温するために二次燃焼炉２内での燃料使用量を大幅に削減することができる。
【００２５】
更に説明すると、第３の燃焼炉３からの排ガスＧ３は、ラインＬ３、Ｌ４を介してサイクロン１２に導入され、排ガスＧ３中の塵埃が除去される。塵埃が除去された排ガスＧ３は、ラインＬ５を介して熱風ファン１４に導入され、熱風ファン１４によりラインＬ６及びラインＬ２を介して二次燃焼炉２に供給される。熱風ファン１４は、排ガスＧ３に旋回流となるための圧力を付与する作用をなす。また、本実施例にて、ラインＬ６の手動とされる開閉弁１５は、通常全開とされており、熱風ファン１４は、３０００Ｎｍ3／ｈｒ×３００℃の能力を有するものを使用した。
【００２６】
また、サイクロン１２と熱風ファン１４とを接続するラインＬ５には、電動弁とされる開閉弁１３が設けられている。
【００２７】
ラインＬ５に設けられた開閉弁１３は、ラインＬ５に設けた温度検知手段１８により検知されたラインＬ５中の排ガスＧ３の温度が、本実施例では、３００℃以上では閉とされ、２８０℃以下で開とされる。これは、熱風ファン１４のランナーを保護するためである。
【００２８】
更に説明すると、本実施例では、熱風ファン１４のランナー保護のために、電動弁１６を備えたラインＬ９がラインＬ５に接続され、このラインＬ９を介して冷却空気Ｇ６が導入可能とされる。つまり、ラインＬ５中のガス温度が３００℃未満となるように、温度検知手段１８の温度検知に対応して電動弁１６の開閉が制御される。
【００２９】
斯かる制御により、冷却空気Ｇ６がラインＬ５に導入されると、ラインＬ４側の吸引圧が低下する。このために、ラインＬ３には圧力センサＰが設けられ、圧力センサーＰによりラインＬ３に設けた電動弁１１の開閉が制御される。
【００３０】
つまり、ラインＬ５中の排ガスＧ３の温度が３００℃以上とされ、ラインＬ５に設けられた開閉弁１３が閉とされたときには、ラインＬ３に設けた開閉弁１１の開閉度が制御され、第３の燃焼炉３にて発生した排ガスＧ３は、一次燃焼炉１の排ガスＧ１を二次燃焼炉２に導入するラインＬ１に導入される。
【００３１】
従って、熱風ファン１４のランナーを保護する必要がない場合には、上記開閉弁１３及び温度検知手段１８、更には、圧力センサーＰ、開閉弁１１などは不要とすることができる。
【００３２】
上述のように、本実施例では、二次燃焼炉２には、ラインＬ１を介して排ガスＧ１と排ガスＧ３の一部との混合ガスが、そして、ラインＬ３、Ｌ４、Ｌ５、Ｌ６、Ｌ２を介して、排ガスＧ３の残部が二次燃焼炉２内へと導入される。
【００３３】
図２及び図３を参照して、本実施例における二次燃焼炉２の概略構成を説明する。
【００３４】
二次燃焼炉２は、円筒形状とされ、排ガスＧ１と一部の排ガスＧ３との混合ガスは、ラインＬ１を介して、また、残りの排ガスＧ３は、ラインＬ２を介して二次燃焼炉２内へと導入される。
【００３５】
また、二次燃焼炉２内には、バーナー２０が配置され、必要に応じて再生油のような燃料が供給される。本実施例では、バーナー２０は、直径方向に対向して、但し、炉中心には向かわないようにして２つ設けられているが、これに限定されるものではない。
【００３６】
さらに、本実施例によると、二次燃焼炉２に隣接して燃焼ファン５（図１参照）が配置されている。燃焼ファン５は、ラインＬ７を介して空気Ｇ４をバーナー２０へと供給し、バーナー２０により噴射される再生油の燃焼に使用される。
【００３７】
又、二次燃焼炉２には、環状空間を備えたリングヘッダー３０が形成されている。リングヘッダーの外周部にはラインＬ２が接続され、燃焼炉３からの排ガスＧ３がリングヘッダー３０へと導入される。また、リングヘッダー３０の内周部には二次燃焼炉２に形成した複数の導入孔、本実施例では６つの導入孔２２が開口している。導入孔２２の数及び配置は、これに限定されるものではなく、例えば、上下２段に６個づつ形成しても良い。
【００３８】
また、導入孔２２は、二次燃焼炉２の中心には向かわないようにして形成されており、従って、リングヘッダー３０に導入された排ガスＧ３は、導入孔２２を介して二次燃焼炉２内へと旋回流となって噴射される。
【００３９】
二次燃焼炉２に対する、ラインＬ１、Ｌ２、バーナー２０、空気導入孔２２などの形状、寸法、配置などは、図示する態様に限定されるものではなく、必要に応じて種々の形状、寸法、配置となし得る。
【００４０】
上記構成の本実施例の廃棄物燃焼装置１００によれば、一次燃焼炉１に投入された廃棄物は燃焼されて７００〜１０００℃の排ガスＧ１を発生する。又、第３の燃焼炉３からは５０〜１０００℃の排ガスＧ３が発生する。
【００４１】
本実施例では、一次燃焼炉１では、汚泥及びプラスチックなどを焼却し、第３の燃焼炉３では、パソコン基板、携帯電話を含む貴金属スクラップ原料や、産業廃棄物を焼却した。本実施例によると、第３の燃焼炉３からの排ガスＧ３は、一酸化炭素や炭化水素などの未燃焼成分を含んでいた。
【００４２】
一次燃焼炉１からの排ガスＧ１は、第３の燃焼炉３からの排ガスＧ３と混合され、二次燃焼炉２内へと円筒面に対して接線方向に導入され、二次燃焼炉２内で旋回流となる。本実施例で二次燃焼炉２に導入される排ガスＧ１とＧ３の混合ガスの温度は７３０℃程度に調整された。
【００４３】
また、上述のように、二次燃焼炉２内では、熱風ファン１４にて加圧され、ラインＬ２及びリングヘッダー３０を介して導入孔２２から導入される第３の燃焼炉３からの排ガスＧ３と、燃焼ファン５からの供給空気Ｇ４を導入したバーナー２０からの燃焼炎も又、二次燃焼炉２内にて旋回流を発生させる。
【００４４】
従って、二次燃焼炉２内では、排ガスＧ１及び排ガスＧ３が８００〜１２００℃にて燃焼される。これにより、排ガスＧ１、Ｇ３中の一酸化炭素や炭化水素などの未燃焼成分が完全に燃焼され、ダイオキシン類の発生を防止することができる。
【００４５】
二次燃焼炉２からの排出ラインＬ８には、温度検知手段１９が配置され、排ガスＧ５の温度が８５０℃程度を維持するように、第３の焼却炉３から二次燃焼炉２への排ガスＧ３の供給量、即ち、第３の焼却炉３からの排ガスＧ３の発生量、ラインＬ１への排ガスＧ３の混合量、或いは、熱風ファン１４からの排ガスＧ３の供給量などを調整することができる。また、必要に応じて、燃焼ファン５からの供給空気Ｇ４を導入したバーナー２０への燃料（再生油）の供給量などを調整してバーナー２０の作動態様を変えることも可能である。
【００４６】
これにより、二次燃焼炉２からのラインＬ８中の一酸化炭素は、１０ｐｐｍ以下であり、かつ、ダイオキシン類の生成は抑制された。
【００４７】
二次燃焼炉２からの排ガスＧ５は、ラインＬ８を介してガス処理設備７に導入される。ガス処理設備７は、図示してはいないが、急冷塔、洗浄塔などを備えており、排ガスＧ５を急冷、洗浄して大気へと放出する。
【００４８】
上記構成の本実施例によれば、従来の旋回ファン４による供給空気Ｇ２の代わりに第３の燃焼炉３からの高温排ガスＧ３を使用することにより、二次燃焼炉２における供給空気加温のための燃料使用量を削減し、高効率にて排ガスを処理することができる。具体的には、燃料使用量を１．７ＫＬ／日削減することができ、また、一次焼却炉であるキルンの処理速度を２．７３Ｔ／Ｈから３．１Ｔ／Ｈへと増大し、大幅な処理能力の向上を図ることができた。これにより、大幅な処理コストの低減を図ることができた。
【図面の簡単な説明】
【００４９】
【図１】本発明に係る排ガスの処理方法を実施するための廃棄物処理装置の全体構成図である。
【図２】二次燃焼炉の全体構成を示す斜視図である。
【図３】二次燃焼炉の横断面図である。
【符号の説明】
【００５０】
１    一次燃焼炉
２    二次燃焼炉
３    第３の燃焼炉
４    旋回ファン
５    燃焼ファン
６、１１、１３、１５    開閉弁
７    ガス処理設備
【図１】
2006105414.tif 000003
【図２】
2006105414.tif 000004
【図３】
2006105414.tif 000005